(57)【要約】      （修正有）【課題】長期的に安定した使い心地を有する利便性が向上した栞を提供する。【解決手段】方形状の複数の本体２を側縁で接続して形成する本体群と、各本体２の上部に書籍からの脱落を防止する舌片４を有するものである。前記本体群は、１つの本体２と他の本体２とを側縁で折り返して各々表面２ａ、裏面の順番に交互に並ぶ蛇腹状に折り畳み重なるように形成してなる。１つの本体２と他の本体２との側縁である折り目は、切断可能なミシン目からなる。複数の本体２を散らばせずに保管することができるとともに、分離しても綴じ代などが残らず、保管スペースをコンパクトに抑えることができる。栞１の交換を容易にしたり同じ構成の栞１に交換して、長期的に安定した使い心地が得られて、利便性を向上することができる。【選択図】図１
0003225353.tif 000002
【実用新案登録請求の範囲】
【請求項１】
方形状の複数の本体を側縁で接続して形成する本体群と、各本体の上部に書籍からの脱落を防止する舌片を有するものであって、
前記本体群は、１の本体と他の本体とを側縁で折り返して各々表面、裏面の順番に交互に並ぶ蛇腹状に折り畳み重なるように形成してなり、
前記１の本体と他の本体との側縁は、切断可能なミシン目からなることを特徴とする栞。
【請求項２】
本体はその表面にメモ表示領域を有することを特徴とする請求項１に記載の栞。
【請求項３】
舌片は、本体の上辺と平行する方向の下切込と、該下切込の両側方からそれぞれ上外方へ延びる横切込と、各横切込の上端からそれぞれ外方に円弧状に延びる上切込と、からなり、
前記横切込の上下方向の寸法は該横切込の上端から前記本体の上辺までの上下方向の寸法以上であることを特徴とする請求項２に記載の栞。
【請求項４】
横切込の上下方向の寸法を文庫本、新書本、単行本サイズの書籍の上余白に合うように１０ｍｍ以下とし、
本体はその表面の前記横切込の上端から下方の領域をメモ表示領域とすることを特徴とする請求項３に記載の栞。
【請求項５】
本体の上方に突出する意匠部を有し、該意匠部はその表面に絵柄を有して、該絵柄に沿う形状であることを特徴とする請求項１、２、３または４のいずれかに記載の栞。
【請求項６】
本体は側縁部分に前記本体の下端から前記本体の側辺に沿って目盛を形成した物差し部を有することを特徴とする請求項１、２、３、４または５のいずれかに記載の栞。
【考案の詳細な説明】
【技術分野】
【０００１】
本考案は、利便性の高い栞に関する考案である。
【背景技術】
【０００２】
従来から利便性を向上した栞として、特許文献１及び２に示すような複数の栞を管理、保管するものや、特許文献３に示すような書籍からの脱落を防止する舌片を有するものがあった。特許文献１に示す栞では、複数枚を１枚のシートに記載し、ミシン目でそれぞれ切り離し可能として、このしおりシート複数枚を一端に形成した綴じ込み部により綴じてしおり組として、複数枚のしおりの管理、保管を容易にしている。さらにミシン目の外側に綴じ部を設けて、複数枚のしおりを重ねて綴じ部により束ねたものも開示している。
【０００３】
また、特許文献２に示す栞では本体側へ凸に形成した線状の切込部により円弧状や三角形状の舌片を備え、この舌片と本体とにより書籍の上辺を挟み込むようにして書籍に挿し込むことでしおりの書籍からの脱落を防止している。
【先行技術文献】
【特許文献】
【０００４】
【特許文献１】特開平１１−２１６９６８号公報
【特許文献２】実用新案登録第３１７１１８７号公報
【考案の概要】
【考案が解決しようとする課題】
【０００５】
特許文献１などに示すしおりはシート状に纏めた状態であり、嵩張り保管スペースが広く必要であるという問題があった。そしてミシン目よりも外側に綴じ部を設けてしおりを束ねたり複数枚のシートを重ねて綴じるため、一度に複数枚が外れたりなど一枚のしおり（シート）を正確に取り出すことが難しいという問題があった。さらにミシン目の外側に綴じ部を設けたものでは切り離した後も束ねた方に綴じ部が残り、保管スペースが嵩張るという問題があった。
【０００６】
また、特許文献２などに示すしおりは舌片が凸となる先端側を狭めた形状であり、先端側の耐久性能が高くなく、しおりを挿む頻度が高いと一冊を読み切るまでに舌片の先端側が折れたり破損し易く、消耗具合によっては新たなしおりが途中で何度も必要になるという問題があった。
【０００７】
そこで、本考案は、保管スペースをコンパクトに抑えるとともに、栞の交換を容易にしたり舌片の耐久性能を向上して、長期的に安定した使い心地を有する利便性が向上した栞を提供する。
【課題を解決するための手段】
【０００８】
本考案の栞は、方形状の複数の本体を側縁で接続して形成する本体群と、各本体の上部に書籍からの脱落を防止する舌片を有するものであって、前記本体群は、１の本体と他の本体とを側縁で折り返して各々表面、裏面の順番に交互に並ぶ蛇腹状に折り畳み重なるように形成してなり、前記１の本体と他の本体との側縁は、切断可能なミシン目からなることを特徴とする。
【０００９】
また、本体はその表面にメモ表示領域を有することが好ましい。
【００１０】
また、舌片は、本体の上辺と平行する方向の下切込と、該下切込の両側方からそれぞれ上外方へ延びる横切込と、各横切込の上端からそれぞれ外方に円弧状に延びる上切込と、からなり、前記横切込の上下方向の寸法は該横切込の上端から前記本体の上辺までの上下方向の寸法以上であることが好ましい。
【００１１】
また、横切込の上下方向の寸法を文庫本、新書本、単行本サイズの書籍の上余白に合うように１０ｍｍ以下とし、本体はその表面の前記横切込の上端から下方の領域をメモ表示領域とすることが好ましい。
【００１２】
また、本体の上方に突出する意匠部を有し、該意匠部はその表面に絵柄を有して、該絵柄に沿う形状であることが好ましい。
【００１３】
本体は側縁部分に前記本体の下端から前記本体の側辺に沿って目盛を形成した物差し部を有する
【考案の効果】
【００１４】
請求項１に記載の考案により、複数の本体を互いの側辺により接続したことにより、本体群を散らばせずに保管することができるとともに、分離しても綴じ代などが残らず、本体を分離する毎に重ねた厚さを薄くすることができて、保管スペースをコンパクトに抑えることができる。そして表面、裏面の順番に並べて接続したことにより、先頭の１枚を分離しても次の１枚の表面が常に前面に現れて、外観の意匠性を損なわずに保管、使用することができる。使用するときには１枚を正確に手に取り容易に分離することができて、本体の交換を容易にしたり同じ構成の本体に交換して、長期的に安定した使い心地が得られて、利便性を向上することができる。
【００１５】
請求項２に記載の考案により、書籍の内容などの気になる点や読書中の電話などの咄嗟のメモなどをメモ表示領域に記載することができて、書籍を下敷きとして書籍を閉じずにメモすることができる。
【００１６】
請求項３に記載の考案により、舌片を下方が狭まらない上向きコの字形状に形成することにより耐久性能が向上し、舌片の先端部の折れ曲がりなどによる消耗を抑えて、使用回数が増して栞の交換の回数を抑えることができる。
【００１７】
請求項４に記載の考案により、書籍に挿した状態でメモ表示領域にメモを記載したときに、舌片のスペースにメモの一部などが食み出しても、食み出した部分が書籍の文章にかからずにすみ、メモによって書籍の文章を汚すことを防止できる。
【００１８】
請求項５に記載の考案により、意匠部を曲げて舌片を動かして書籍に挿し込むときに、意匠部の曲げに伴う本体の変形を押えて、舌片を集中して動かすことができて、本体の変形による痛みを抑えることができる。
【００１９】
請求項６に記載の考案により、出先などにおいて封筒が定型内かどうかなどで封筒などの被測定物の寸法を測定したいときに、物差し部を被測定物の測定したい寸法部分に当てるとともに本体（物差し部）の下端を寸法部分の下端に合わせることにより、被測定物の寸法を容易に測定することができる。
【図面の簡単な説明】
【００２０】
【図１】本考案の実施形態の栞の正面図である。
【図２】栞を折り畳んだ状態の斜視図である。
【図３】栞を展開して、一部を分割した平面図である。
【図４】栞を書籍に取り付けた状態の平面図である。
【図５】図１に示す舌片周辺の拡大図である。
【図６】物差し部を使用方法の一例を説明する平面図である。
【考案を実施するための形態】
【００２１】
本考案の実施の形態について説明する。本説明において、図１の紙面上を上方、紙面下を下方、紙面手前を表側（前方）、紙面奥を裏側（後方）として説明する。
【００２２】
本実施形態にかかる栞１は、図１に示すように、上下方向の寸法が左右方向の寸法よりも長い長方形状の本体２と、本体２から上方に突出して形成した意匠部３とからなり、本体２を書籍８に挿し込み使用する。栞１は書籍８の頁面よりも厚手の紙からなる。
【００２３】
本実施形態の栞１は本体２及び意匠部３からなる上下方向の寸法を１５０ｍｍとしている。本体２は上下方向の寸法を１１４ｍｍ以上として、左右方向の寸法を３０ｍｍとしている。意匠部３は上下方向の寸法を３６ｍｍ以下とし、左右方向の最大寸法を３０ｍｍ以下としている。栞１の前後方向の寸法（厚み）は３ｍｍ以上としている。
【００２４】
栞１は、図２及び図３に示すように、複数の本体２、２を側縁により接続して形成した本体群２、２からなり、意匠部３、３は夫々側方を互いに接続せずに分割して形成している。栞１は接続した本体２の側辺を折り目７とし、１枚の本体２を先頭として他の本体２を蛇腹形状に折り畳み重ねることができる。これにより先頭の本体２の自由端側の側辺の後方には次の本体２とその次の本体２との折り目７が位置し、先頭の１枚を容易に把握することができて、確実に１枚を手で摘み取ることができる。
【００２５】
そして、栞１は複数の本体２を左右方向に表面２ａ、裏面２ｂの順番に交互に並ぶように接続しており、折り畳み状態において全ての本体２の表面２ａが正面を向くように重ねることができる。さらにこの折り目７は切断可能なミシン目からなり、このミシン目により１枚ずつを容易に分割可能としている。なお、意匠部３の側方も接続してミシン目を有する折り目７としてもよい。
【００２６】
本体２はその上部に、上向きコの字形状に切り抜いた舌片４を有し、本体２に繋がる上縁部分を起点として前後方向に回動自在としている。舌片４は上縁部分（上辺）を本体２に接続して側辺両方及び下辺を本体２から分離自在としている。つまり舌片４は、本体２の上辺に平行する下切込５ａと、下切込５ａの側方外側からそれぞれ上外方に延びる横切込５ｂ、５ｂと、各横切込５ｂ、５ｂの上端からそれぞれ外方に円弧状に延びる上切込５ｃとにより形成される。
【００２７】
栞１は、図４に示すように、舌片４の下方を本体２から後方に浮かせることにより、書籍８に挿し込むときに舌片４と本体２とにより書籍８の上辺を挟み込み書籍８に保持して、書籍８からの脱落を防止することができる。さらにフランジ形状の上切込５ｃにより舌片４を本体２から浮かせ易くしている。
【００２８】
舌片４は、図５に示すように、下切込５ａ（下辺）の左右方向の寸法Ｌ２は本体２の左右方向の寸法Ｌ１の半分とし、該下切込５ａの寸法Ｌ２を２０ｍｍとしている。さらに舌片４は横切込５ｂ（側辺）の上下方向の寸法Ｈ２を横切込５ｂの上端から本体２の上辺までの上下方向の寸法Ｈ１以上とし、該横切込５ｂの寸法Ｈ２を１０ｍｍとして、横切込５ｂの上端から本体２の上辺までの上下方向の寸法Ｈ１を８ｍｍとしている。横切込５ｂの上下方向の寸法は文庫本（Ａ６判）、新書本（１０３ｍｍ×１８２ｍｍ）、単行本（Ｂ６判）サイズの書籍８の上余白８ｂ（７ｍｍから１５ｍｍ程度）に合うように形成している。
【００２９】
また、本体２は、図１及び図４に示すように、その紙面（表面２ａ及び裏面２ｂ）にメモ表示領域６を有して、読書中にメモをメモ表示領域６に記載して残すことができる。そして、厚手の紙からなることにより下敷きなどを挿し入れなくてもメモするときに書籍８を傷めずに書き込むことができる。
【００３０】
メモ表示領域６は本体２の表面２ａの横切込５ｂの上端から下方の領域としている。メモ表示領域６は本体２の外周よりも内側に形成し、本体２のその外周部分は有色に塗り上げてメモ表示領域６を囲むようにして、メモ表示領域６の領域を明確にしている。
【００３１】
栞１を書籍８に挟み込んだ状態において、メモ表示領域６は上縁の左右方向の中央から舌片４により書籍８が露出するところ書籍８の上余白８ａに位置し、メモしたときに書籍８の露出部分（上余白８ａ）にメモ内容がはみ出しても書籍８の文章を汚さずに済むようにしている。
【００３２】
書籍８を挟み込んだ状態において意匠部３が書籍８よりも上方に突出して位置する。意匠部３はその紙面（表面２ａ及び裏面２ｂ）に動物などの絵柄を有し、該絵柄に沿う形状に切り抜いて形成している。意匠部３の絵柄として例えばヒヨコとしている。
【００３３】
意匠部３は前後方向に傾けることにより舌片４を本体２から離脱するように回動することができる。意匠部３は、図５に示すように、本体２に接続する下端部分の左右方向の寸法Ｌ３を本体２の上辺の左右方向の寸法Ｌ１よりも短く形成している。意匠部３の下端部分の左右方向の寸法Ｌ３を短くしたことにより意匠部３を前後方向に曲げたときにその力を舌片４に伝わり易くして、舌片４を開き易くしている。
【００３４】
本体２は側縁部分に側辺（長辺）に沿う様に目盛を形成してなる物差し部９を有している。物差し部９はメモ表示領域６よりも左右方向外側に形成されている。物差し部９は線状の目盛を１ｍｍ間隔に有して、５ｍｍ位置夫々及び１０ｍｍ位置夫々の線の寸法を長くして測定値を把握しやすくしている。栞１は、図６に示すように、物差し部９を封筒などの被測定物１１に当接して、本体２の下端を被測定物１１の測定部分の下端に合わせることにより、物差し部９の目盛から被測定物１１の寸法を容易に測定することができる。
【符号の説明】
【００３５】
１…栞、２…本体（本体群）、２ａ…表面、２ｂ…裏面、３…意匠部、４…舌片、５ａ…下切込、５ｂ…横切込、５ｃ…上切込、６…メモ表示領域、７…折り目、８…書籍、８ａ…上余白、９…物差し部、１１…被測定物。
【図１】
0003225353.tif 000003
【図２】
0003225353.tif 000004
【図３】
0003225353.tif 000005
【図４】
0003225353.tif 000006
【図５】
0003225353.tif 000007
【図６】
0003225353.tif 000008